(57)【要約】【課題】背もたれの組み立てが簡単でしかも背板が外れることがない椅子を提供する。【手段】背もたれ６は背フレーム１４と背インナーシェル１５とを備えている。背フレーム１４は上下長手のサイドメンバー２０を備えており、その前板２０ａに係合穴３８，４０が形成されている。背板１５には、係合穴３８，４０に嵌まり込む係合爪４１，４２と、サイドメンバー２０の上端を抱持する補助係合爪４０とが形成されている。補助係合爪４０は裏カバー１６の上側板１６ｂ″で上向き動不能に保持されている。裏カバー１６を背フレーム１４に固定すると背板１５は上向き移動不能に保持される。【選択図】図１１
2008302061.tif 000002
【特許請求の範囲】
【請求項１】
座と背もたれとを備えており、前記背もたれは、前面にクッションが張られた樹脂製の背インナーシェルと、前記背インナーシェルの裏側に配置された金属製の背フレームとを備えており、
前記背インナーシェルの裏面部と背フレームとには、背インナーシェルを背フレームに重なるように後ろ向き移動させてから下向き動させることで当該背インナーシェルを前向き動不能及び左右動不能に保持する係合手段が設けられており、更に、前記背フレームには、背インナーシェルの一部の上方に位置することで背インナーシェルを背フレームから上向き離脱不能に保持するストッパー手段が取付けられている、
椅子。
【請求項２】
前記背フレームは金属板から成っていて、上下長手の左右サイドメンバーと左右横長のアッパーメンバー及びロアメンバーとで正面視略四角形に形成されており、前記左右サイドメンバーは前面板を有する後ろ向きに開口の溝形であり、このサイドメンバーの前面板に複数個の係合溝が上下に隔てて形成されている一方、前記背インナーシェルには前記係合穴に嵌まり込む係合爪が形成されており、前記係合穴と係合爪が前記係合手段を構成しており、
更に、背フレームには当該背フレームを後ろから覆う裏カバーが取付けられており、前記裏カバーにストッパー部を形成している、
請求項１に記載した椅子。
【請求項３】
前記背インナーシェルには、前記背フレームにおけるサイドメンバーの前面板の上端部を上方から抱持する側面視鉤状の補助係合爪が形成されており、このためサイドメンバーの前面板と背インナーシェルの補助係合爪も前記係合手段を構成しており、
更に、前記裏カバーには背フレームのアッパーメンバーを上方から覆う上側板が形成されており、前記上側板の左右端部を前記背インナーシェルの補助係合爪の上方に位置せしめることにより、裏カバーにおける上側板の左右端部を前記ストッパー部と成している、
請求項２に記載した椅子。
【発明の詳細な説明】
【技術分野】
【０００１】
本願発明は、背もたれの構造に特徴を有する椅子に関するものである。
【背景技術】
【０００２】
椅子において背もたれの構造は多種多様であるが、一つのタイプとして、強度メンバーとして金属製の背フレームを設けてこれにクッション付き背板等の背サポート体を取付けたものがある。
【０００３】
背フレームへの背板の取付け構造の一例が特許文献に開示されている。すなわち特許文献１では、背フレームは左右縦杆部を左右横長の連結杆で連結した構成であり、縦杆部の上部には頭付きの係合突起を前向きに突設し、縦杆部の下部には側面視で上向き鉤状の軸受けを前向きに突設している一方、背板には、縦杆部の係合突起が嵌まる係合穴と、縦杆部の軸受に上方から嵌入する水平軸とを設けている。
【０００４】
特許文献では、背板の係合穴は、係合突起の頭が嵌脱する大きさの大径部と係合突起の首部だけが嵌まる上向きのスリットとを連続させたダルマ形に形成されており、係合突起がスリットに嵌まった状態を保持しつつ、背板の水平軸を背フレームの軸受けに嵌め込むことにより、背板を背フレームから離脱不能に保持している。
【特許文献１】特開２００１−１２８７８９号公報
【発明の開示】
【発明が解決しようとする課題】
【０００５】
特許文献１は、背板の取付け手段として係合爪と係合穴との嵌め合わせであるキャッチ方式を採用したものであり、このようなキャッチ方式を採用すると背もたれの組み立てを簡単に行える利点がある。
【０００６】
さて、特許文献１では、係合穴のスリットの上下長さ長くすることにより、水平軸が軸受に嵌まった状態で係合突起が係合穴に嵌まった状態を確保しており、従って、背もたれに荷重が掛かっていないニュートラル状態では、係合突起は係合穴におけるスリットの上下中途部に位置しており、背もたれに荷重が掛かって当該背もたれが伸びるように弾性変形すると、係合穴の大径部が上向き動することになり、このため、例えば着座した人が背もたれに勢いよくもたれ掛かった際の衝撃で係合突起が係合穴から抜け出ることが懸念され、また、ロッキングに際して背板はその上部が上方に移動するため、着座した人の背中との間に相対的な滑りが生じていわゆる「背ずれ」や「シャツ捲れ」の現象が生じ易くなる。
【０００７】
また、特許文献１において背フレームは金属又は樹脂製と記載されているが、この場合、樹脂製の場合は射出成形品であると解され、他方、金属製の場合は明示されてはいないが図面を参照するとダイキャストのような成形品であると解される。しかして、成形品は板金加工品に比べて応力分布の解析が面倒で設計に手間を要するという問題がある。
【０００８】
本願発明は、このような現状を改善すべく成されたものである。
【課題を解決するための手段】
【０００９】
本願発明の椅子は、座と背もたれとを備えており、前記背もたれは、前面にクッションが張られた樹脂製の背インナーシェルと、前記背インナーシェルの裏側に配置された金属製の背フレームとを備えており、そして請求項１の発明は、前記背インナーシェルの裏面部と背フレームとには、背インナーシェルを背フレームに重なるように後ろ向き移動させてから下向き動させることで当該背インナーシェルを前向き動不能及び左右動不能に保持する係合手段が設けられており、更に、前記背フレームには、背インナーシェルの一部の上方に位置することで背インナーシェルを背フレームから上向き離脱不能に保持するストッパー手段が取付けられている。
【００１０】
請求項２の発明では、請求項１において、前記背フレームは金属板から成っていて、上下長手の左右サイドメンバーと左右横長のアッパーメンバー及びロアメンバーとで正面視略四角形に形成されており、前記左右サイドメンバーは前面板を有する後ろ向きに開口の溝形であり、このサイドメンバーの前面板に複数個の係合溝が上下に隔てて形成されている一方、前記背インナーシェルには前記係合穴に嵌まり込む係合爪が形成されており、前記係合穴と係合爪が前記係合手段を構成しており、更に、背フレームには当該背フレームを後ろから覆う裏カバーが取付けられており、前記裏カバーにストッパー部を形成している。
【００１１】
なお、請求項２の「金属板」は、パイプや溝形鋼のような加工品を使用する場合と、帯板を材料にしてプレス等で板金加工したものとの両方を含んでいる。従って、アッパーメンバーとロアメンバーとは、サイドメンバーと同様に後ろ向きに開口した溝形のものやパイプ形状のものも含んでいる。
【００１２】
請求項３の発明は、請求項２において、前記背インナーシェルには、前記背フレームにおけるサイドメンバーの前面板の上端部を上方から抱持する側面視鉤状の補助係合爪が形成されており、このためサイドメンバーの前面板と背インナーシェルの補助係合爪も前記係合手段を構成しており、更に、前記裏カバーには背フレームのアッパーメンバーを上方から覆う上側板が形成されており、前記上側板の左右端部を前記背インナーシェルの補助係合爪の上方に位置せしめることにより、裏カバーにおける上側板の左右端部を前記ストッパー部と成している。
【発明の効果】
【００１３】
本願発明では、背フレームに対する背板の取り付けは、それら背フレームと背板とに形成した係合手段の嵌め合わせによって行われるものであり、従って、背もたれの組み立てを能率良く行うことができる。しかも、背フレームに設けたストッパー手段によって背板は上向き動不能に保持されているため、ロッキングに際しての衝撃等によって背板が背フレームから離脱することはない。
【００１４】
請求項２では、背フレームは金属板から成っているが、鋼板等の金属板は強度や耐久性が知悉されていて信頼性が高いため、応力分布の解析が容易で設計に要する手間を軽減できる利点がある。そして、請求項２の発明では、金属板製のサイドメンバーに係合穴を形成しているが、係合穴は打ち抜きによってごく簡単に加工できる一方、背板の係合爪も一体成形によって手間無しで加工できる。このため請求項２では、強度に優れた背もたれを簡単に製造できる。
【００１５】
また、請求項２では、背フレームを覆う裏カバーの一部をストッパー手段に兼用しているため、それだけ部材点数を少なくして構造の簡素化とコストダウンとに貢献できる。この点は請求項２の優れた効果である。
【００１６】
請求項３のように構成すると、背板は補助係合爪によっても前向き移動不能に保持されているため、背板の取付け強度が一層高くなっており、かつ、背板はその上部において上向き動不能に保持されているため、背板がロッキングに際しての荷重によって上下方向に伸び変形する場合、背板はその下部が下方に逃げることで伸び変形か許容されることになり、すると、いわゆる背ずれ又はシャツめくれを防止又は抑制できる利点がある。
【００１７】
本願発明では、ストッパー手段を裏カバーとは別の部材とすることも可能であるが、その場合、ストッパー手段で背板の上部を拘束すると、請求項３と同様に背ずれ又はシャツ捲れを防止又は抑制できる。
【発明を実施するための最良の形態】
【００１８】
次に、本願発明の実施形態を図面に基づいて説明する。本実施形態は、児童・生徒が学習机とセットで使用する椅子に適用しているが、勿論、事務用椅子のような成人用の椅子にも使用できる。
【００１９】
(1).椅子の概要
まず、図１〜図５に基づいて概要を説明する。図１は椅子を前方から見た斜視図、図２のうち（Ａ）は正面図で（Ｂ）は側面図、図４は傾動フレーム及び背フレームの斜視図、図５はロッキング機構の一部を示す分離斜視図である。
【００２０】
椅子は、主要要素として、キャスター付きの脚１と、脚１の上端に固定したベース２と、ベース２の上方に配置された座３と、座３の後方及び上方に配置された背もたれ４と、オプション品としての肘掛け装置５とを備えている。脚１は伸長自在及び回転自在な脚支柱（ガスシリンダ）６を備えており、脚支柱６の上端にベース２が固定されている。
【００２１】
また、脚１は放射状に延びる５本の枝足７を備えており、隣り合った３本の枝足７に平面視円弧状のステップ板８を固定している。ベース２の外側には、ロッキング用ばねの弾性を調節するためのハンドル９、座３を高さ調節するに際して脚支柱６のロックを解除する昇降レバー１０、座３の前後位置を調節するに際してロックを解除する前後レバー１１が露出している。
【００２２】
図示していないが、座３は、樹脂製の座インナーシェル（座板）とその上面に張った座クッションとを備えており、座クッションは上方からクロスで覆われている。座３は例えば図２（Ｂ）に示す座アウターシェル（座受け部材）１２に固定されている。座アウターシェル１２は図示しない中間金具に前後位置調節可能に支持されており、中間金具は図２（Ｂ）に符号１３で示すカバーで左右外側から覆われている。
【００２３】
図４から理解できるように、背もたれ４は、金属板を材料として背面視（或いは正面視）四角形に形成された背フレーム１４を備えている。この背フレーム１４は背もたれ４の強度メンバーの役割を果たすもので、その前面に樹脂製の背インナーシェル（背板）１５が取付けられており、また、背フレーム１４の背面には樹脂製の裏カバー１６が取付けられている。背インナーシェル１５の前面に背クッション１７が重ね配置されており、背クッション１７と背インナーシェル１５とは袋状のクロス１８で覆われている。
【００２４】
背フレーム１４は、左右の上下長手の左右サイドメンバー２０と左右長手のアッパーメンバー２１及びロアメンバー２２とで正面視略四角形に形成されており、ロアメンバー２２には、当該ロアメンバー２２から前向きに延びる左右一対の傾動フレーム２３が溶接によって固着されている。左右の傾動フレーム２３の前端間には左右横長の第２軸２４が固着されており、また、傾動フレーム２３の前後中途部間には板材製のブリッジ材２５が固着されている。
【００２５】
図３（Ｃ）に示すように、背インナーシェル１５には撓み変形や前後方向の延び変形を容易ならしめるためのスリット１９が多数形成されている。図１に部分的に破断して示すように、背もたれ４において、背クッション１７の外周部を伸縮性はあるが型崩れしにくい硬さの保形材１７ａで構成することにより、外周部のシャープな角張った形態を保持している（この点は座３も同じである。）。
【００２６】
背もたれ４は後傾動し、また、座３は背もたれ４の後傾動に連動して後退しつつ後傾する。この点に関して若干触れておく。図５に示すように、ベース２は上向きに開口して箱状に形成されており、その左右側板２ａには前向きに開口した切り開き溝２６が形成されており、前記した中間金具の前部に設けた左右横長の第１軸がブッシュを介して切り開き溝２６に前後スライド自在に装着されている。第１軸の後退動は、ベース２に内蔵したロッキング用ばね（図示せず）で弾性的に支持される。  
【００２７】
傾動フレーム２３は断面小判形の金属パイプ（鋼管）を使用しており、ベース２の左右両側に配置している。そして、左右傾動フレーム２３の前端部に固着した第２軸２４は、上センターブッシュ２８と下センターブッシュ２９とで上下から挟まれており、かつ、上下センターブッシュ２８，２９はセンター金具３０を介してベース２の下面に固定されている。上センターブッシュ２８はベース２に対して左右動不能に嵌まっている。
【００２８】
詳細は省略するが、前記した中間金具の後部には左右横長の第３軸が設けられており、第３軸は、左右傾動フレーム２３に架け渡し配置されたブリッジ部材２５にリアブッシュ及びリア金具で連結されている。従って、ベース２と中間金具と傾動フレーム２３とは一種のリンク機構になっており、背もたれ４がロッキング（後傾）すると、座３は背もたれ４の後傾動に連動して後退しつつ後傾する。図５に示すように、ベース２の後端と背フレーム１４の下端との間には、背もたれ４を任意の後傾角度に保持できる背用ガスシリンダ３１を配置している。背用ガスシリンダ３１はベース２と背フレーム１４とに相対回動可能に連結されている。背もたれ４の後傾動と座３のシンクロ動とは、ロッキング用ばねと背用ガスシリンダ３１とで弾性的に支持される。
【００２９】
背フレーム１４の下部の左右中間部には、背用ガスシリンダ３１を連結するための連結用突起部３２が突設されており、また、左側の傾動フレーム２３の後部には受け部材３３が固着されており、この受け部材３３には、背用ガスシリンダ３１をロック状態とフリー状態とに切り替えるレバー（図示せず）が取付けられている。
【００３０】
(2).背フレームの構造
次に、従前の図に加えて図７〜８も参照して背フレーム１４の構造を説明する。図６のうち（Ａ）は背フレーム１４と補強部材との分離斜視図、（Ｂ）は補強部材の前から見た斜視図、図７のうち（Ａ）は背フレーム１４と背インナーシェル１５との分離斜視図、（Ｂ）をストッパー係合爪を下方から見た斜視図、（Ｃ）は上係合爪を下方から見た斜視図、（Ｄ）は下係合爪の斜視図、図８のうち（Ａ）は上コーナー部の斜視図、（Ｂ）は下コーナー部の背面図、（Ｃ）は図６（Ａ）のVIIIC-VIIIC 視断面図、（Ｄ）は図６（Ａ）のVIIID-VIIID視断面図、（Ｅ）は（Ｂ）のＥ−Ｅ視断面図、（Ｆ）は（Ｂ）のＦ−Ｆ視断面図で、（Ｇ）は（Ｂ）のＧ−Ｇ視断面図である。
【００３１】
既述のとおり、背フレーム１４は、その側部を構成する上下長手の左右サイドメンバー２０と、上部を構成する左右横長のアッパーメンバー２１と、下部を構成する左右横長のロアメンバー２２との４つの主要部材を備えており、かつ、左右の下コーナー部３５には、それぞれ補強部材３６が溶接によって固着されている。各メンバーはそれぞれ鋼板を材料にした板金加工によって製造されており、隣り合ったメンバーは溶接によって一体化している。
【００３２】
各メンバー２０，２１，２２は、いずれも平坦状の前面板と側板とを有して後ろ向きに開口した断面略コ字状の溝型形状であり、このため、各メンバー２０，２１，２２の前面は広巾面になっている。また、サイドメンバー２０は、着座した人の腰部の高さ位置の箇所が最も前端となるように側面視で前向き凸状に緩い曲率で湾曲しており、他方、アッパーメンバー２１とロアメンバー２２は平面視で前向き凹状に緩く湾曲している。
【００３３】
各メンバー２０，２１，２２はそれぞれ前面板と内外の側板とを有して断面コ字状の溝型に形成されている（以下の説明では、サイドメンバー２０についてのみ、前面板，内外側板にそれぞれ符号２０ａ，２０ｂ，２０ｃを付している。）。各メンバー２０，２１，２２は溝型であるが、幅寸法よりも奥行き寸法は小さくなっている。
【００３４】
例えば図４から理解できるように、サイドメンバー２０の前面板２０ａは平面視で内側に行くに従って後退するように僅かの角度で傾斜しており、既述のとおりアッパーメンバー２１とロアメンバー２２とは平面視で前向き凹状に緩く湾曲している。このため、アッパーメンバー２１及びロアメンバー２２とサイドメンバー２０の前面は滑らかに連続している。
【００３５】
また、アッパーメンバー２１の前面は鉛直面に対して側面視でやや後傾し、ロアメンバー２２の前面は鉛直面に対して側面視でやや前傾している。従って、各メンバー２０，２１，２２は実際にはかなり複雑な形態になっている。背インナーシェル１５は、背フレーム１４の前面に重なるように側面視では前向き凸状に湾曲して平面視では前向き凹状に湾曲している。
【００３６】
ロアメンバー２２の前面板には左右の傾動フレーム２３の後部２７ａが貫通しており、傾動フレーム２３の後部２７ａはロアメンバー２２に溶接によって固着されている。また、ロアメンバー２２の左右両端には上向きの起立部２２ａが一体に形成されており、起立部２２ａにサイドメンバー２０の下部を溶接している（従って、正確には、背フレーム１４の左右側部の一部はロアメンバー２２の起立部２２ａによっても構成されている。）。
【００３７】
この場合、起立部２２ａの上半分程度を板厚分だけ左右内側と後ろ側とに段落ちした細幅部２２ｂとなし、この細幅部２２ｂにサイドメンバー２０の下部を重ね合わせて、そして細幅部２２ｂとサイドメンバー２０とを溶接によって一体に固着している。
【００３８】
そして、ロアメンバー２２の水平部と起立部２２ａ，２２ｂで構成される下コーナー部３５に内側から補強部材３６を嵌め入れている。補強部材３６は鋼板製でありロアメンバー２２のうち傾動フレーム２３よりも外側の部分と起立部２２ａとに重なるＬ形の形態であり、また、内外の側板３５ａを有していて前向き開口の樋状に形成されている。
【００３９】
補強部材３６の起立部はロアメンバー２２の起立部２２ａに左右ずれ不能にきっちり嵌まっており、また、側板３５ａの起立部には、ロアメンバー２２の起立部２２ａの細幅部２２ｂに対応して切欠き部５７を形成しており、このため、補強部材３６の起立部２２ａはロアメンバー２２における起立部２２ａの内底面にきっちり重なっている。
【００４０】
補強部材３６のうち水平部はロアメンバー２２の水平部にきっちり重なっており、また、補強部材３６の水平部の端面は傾動フレーム２３の後端部２７ａに横から当たっている。そして、補強部材３６とロアメンバー２２の水平部及び起立部とが溶接によって固着されていると共に、補強部材３６と傾動フレーム２３の後端部が溶接によって固着されている。
【００４１】
背フレーム１４には、ロッキングに際して図６に実線矢印Ａ及び点線矢印Ｂで示すようにねじり力が作用することがあり、このねじ力は背フレーム１４のうち下コーナー部３５に集中的に作用する。しかるに、本実施形態では、補強部材３６の存在によって下コーナー部３５は堅牢な構造になっているため、高い信頼性と耐久性を確保できる。
【００４２】
起立部２２ａのうち細幅部２２ｂの下方の部位には、背インナーシェル１５の下部を取り付けるための下係合穴３７が空いている。下係合穴３７はその左右中間部に位置した下向きスリット部３７ａを備えていて略Ｔ字形になっている。サイドメンバー２０の上部には背インナーシェル１５の上部を取り付けるための上係合穴３８が空いている。上係合穴３８も下向きスリット部３８ａを有して略Ｔ字形になっている。
【００４３】
アッパーメンバー２１における前面板と下側板との左右両端面は、サイドメンバー２０の内側板２０ａに当接しており、両メンバー２１，２０の当接箇所が溶接されている。また、図８（Ａ）に明示するように、アッパーメンバー２１の上側板の左右両端部は、サイドメンバー２０の内側板２０ａの外側に突出した張り出し部２１ａになっており、この張り出し部２１ａに取付け穴３９が形成されている。
【００４４】
(3).背インナーシェルの取付け構造
次に、従前の図に加えて図９〜図１１も参照して背インナーシェル１５の取付け構造を説明する。図９は背フレーム１４と背インナーシェル１５との分離斜視図、図１０のうち（Ａ）は背もたれ４の平断面図、（Ｂ）は（Ａ）の部分的な拡大図、（Ｃ）は組立後における図９の XC-XC視断面図、（Ｄ）は組立後における図９の XD-XD視断面図、図１１のうち（Ａ）は背もたれ４の上部のみの図１０の XIA-XIA視断面図、（Ｂ）は背もたれ４の下部のみの図１０の XIA-XIA視断面図でかつ組み立て後における図９の XIB-XIB視断面図、（Ｃ）は背もたれの下部のみの図１０の XIC-XIC視断面図である。
【００４５】
背インナーシェル１５の左右両端部の背面には、上端近くに配置された側面視鉤型のストッパー係合爪４０と、その下方に配置された上係合爪４１と、下端縁近くに配置された下係合爪４２との３対の係合爪が形成されている。また、左右中間部のにセンター係合爪４３が下向きに突設されている。
【００４６】
ストッパー係合爪４０は側面視で鉤状に形態であり、背フレーム１４におけるサイドメンバー２０の前面板の上端縁に上方から嵌まっている。上係合爪４１は基本的には側面視鉤状であるが、左右中間部には縦長の壁部４１ａが背インナーシェル１５に連続した状態で一体に形成されている。そして、上係合爪４１は、サイドメンバー２０に形成された上係合穴３８に前方から嵌まって下方にスライドさせるようになっており、図１０（Ｃ）に示すように、鉤状の部分が上係合爪４１の広巾部に嵌合することで背インナーシェル１５を前向き移動不能に保持すると共に、壁部４１ａが上係合穴３８の下向きスリット３８ａに嵌まり込むことで背インナーシェル１５を左右動不能に保持している。
【００４７】
下係合爪４２は平面視Ｔ型に形成されており、下係合穴３７に前方から嵌め入れて下方にスライドさせると、図１０（Ｄ）に示すように、下係合穴３７の下向きスリット部３７ａに落し込まれる。このため、背インナーシェル１５は下係合爪４２によって左右動ずれ不能及び前向き移動不能に保持されている。また、図１１（Ｂ）に示すように、背もたれ４に人の体圧が掛かっていない状態で、下係合爪４２は下係合穴３７の下向きスリット部３７ａの上部に位置している。
【００４８】
そして、背もたれ４に人の体圧が掛かると背インナーシェル１５は扁平な状態に向けて伸びるように変形するが、下係合爪４２が下向きスリット部３７ａに嵌まった状態で下向きにスライドすることにより、背インナーシェル１５の伸び変形が許容されており、その結果、突っ張り感を無くして高いフィット性を確保できる。
【００４９】
センター係合爪４３は背インナーシェル１５の下部が過度に前向き動しないように保持する補助的なものであり、下端部は前向き凹状に凹んだ凹み部４３ａになっており、この凹み部４３ａを、図１１（Ｃ）に示すように、背用ガスシリンダ３１の上連結軸４４の後ろ側に位置させている。なお、上連結軸４４はブラケット４５に取付けられており、ブラケット４５は、ロアメンバー２２に設けた軸支用突起部３２にビスで固定されている。
【００５０】
(4).裏カバーの取付け構造
次に、裏カバー１６の取付け構造を従前の図に加えて図１２及び図１３も参照して説明する。図１２は背フレーム１４と裏カバー１６との分離斜視図、図１３のうち（Ａ）は背フレーム１４の上部のうち左右中間部の縦断側面図、（Ｂ）は図１０の下部の XIIIB-XIIIB視断面図である。
【００５１】
裏カバー１６は背フレーム１４と相似形の四角枠状に形成されており、背フレーム１４の各メンバーに対応してサイド部１６ａ，上部１６ｂ，下部１６ｃとで略矩形に形成されている。サイド部１６ａと上部１６ｂとはそれぞれ背フレーム１４を内外から覆う前向きの内側板１６ａ′，１６ｂ′と外側板１６ａ″，１６ｂ″とを備えており、他方、下部１６ｃは内側板１６ｃ′は備えているが外側板は備えていない。これは、通常の使用状態で背フレーム１４におけるロアメンバー２２の３下面は人目に触れないからである（下外側板を設けても良い。）。
【００５２】
裏カバー１６を背フレーム１４に固定する手段としては、上部１６ｂの外側板１６ｂ″の左右両端部を背フレーム１４のアッパーメンバー２１にビス４６で固定すること、サイド部１６ｂの内側板１６ａ″をビス４６でサイドメンバー２０の内面に締結すること、下部１６ｃに前向き突設したブラケット片４７をロアメンバー２２の下面にビス４６で締結すること、を採用している。勿論、係合爪を利用したキャッチ方式等の他の方式を採用することも可能である。
【００５３】
裏カバー１６における上部１６ｂの外側板１６ｂ″は裏カバー１６の上側板（或いは上面板）と呼ぶことができる。そして、既述のとおり、裏カバー１６の上側板１６ｂ″は背フレーム１４のアッパーメンバー２１にビス４６で固定されているが、本実施形態の特徴として、図１１（Ａ）から理解できるように、裏カバー１６の上側板１６ｂ″が背インナーシェル１５におけるストッパー係合爪４０の上方に位置するように設定している。すなわち、裏カバー１６の上側板１６ｂ″の端部が背板１５の上向き移動を阻止するストッパー部になっている。
【００５４】
従って、背インナーシェル１５は単に係合爪４０，４１，４２を背フレーム１４に嵌め入れただけであるのに離脱不能に保持されている。すなわち、簡単に組立できるにも拘わらず背インナーシェル１５を抜け不能に保持できる。図１０（Ｃ）（Ｄ）や図１３に示すように、裏カバー１６の前面板は背フレーム１９の背面に当接又は近接している。
【００５５】
(5).まとめ
本実施形態において、左右の傾動フレーム２３と背フレーム１４とはそれぞれ別々に製造されてから、溶接によって組み立てられている。また、背フレーム１４も４つのメンバー２０〜２２で構成されていて各メンバー２０〜２２はそれぞれ個別に製造されてから溶接によって一体化している。従って、背フレーム１４は全体として三次元的に曲がった複雑な形状でかつ係合穴３７，３８等が存在しているが、各メンバー２０〜２２は帯板を素材として型（例えば雄型と雌型）を使用したプレス加工によって容易に加工することができる。
【００５６】
また、背インナーシェル１５は係合爪４０，４１，４２を背フレーム１９のサイドメンバー２０に落し込むことで極めて簡単に取付けでき、しかも、裏カバー１６の上側板１６ｂ″が背板１５の上向き動を阻止するストッパー手段として機能しているため、簡単に組み立てできる背もたれ４でありながら、例えば使用中に背板１５が背フレーム１４から外れるような不具合は生じない。
【００５７】
本実施形態では、背インナーシェル１５はその左右両側部のみがサイドメンバー２０で拘束されているに過ぎずに、背インナーシェル１５とアッパーメンバー２１及びロアメンバー２２との間には隙間が空いているため、着座した人の体圧によって後ろ側に逃げるように伸び変形することが許容されており、このため高いフィット性を得ることができる。
【００５８】
また、背板１５は、多数のスリット１９の存在により、縦断側面視で扁平な状態に向けて伸びるようにも変形するが、この場合、背板１５は裏カバー１６の上側板１６ｂ″によって上端が上向き動不能に拘束されているため、背板１５は主としてその下部が下向き動するように逃げることで伸び変形が許容されており、その結果、背ずれ又はシャツ捲れが防止又は抑制される。
【００５９】
ロッキングに伴って背板１５に内側に引かれる力が作用することになり、その場合、上係合爪４１が単なる鉤状であると鉤部が上係合穴３８の内面に当たるが、上係合爪４１は単なる鉤状に過ぎないと片持ち梁の状態であってロッキングに伴う荷重が大きなモーメントとして生じるため、高い支持強度を確保できない。さりとて、上係合爪４１を過度に大きくすることはできない。
【００６０】
これに対して本実施形態のように上係合爪４１に壁部４１ａを設けると、壁部４１ａは背板１５に連続していて曲げに対して高い剛性を確保できるため、上係合爪４１は過度に厚くすることなく高い強度と耐久性を確保することができる利点がある。
【００６１】
更に、本実施形態のように下係合爪４２を上下略全体にわたってＴ字形に形成すると、背板１５が上下方向に伸び変形することを確実に吸収できる利点がある。更に、本実施形態のように補助係合爪４０を設けると、背フレーム１４に対する取付け強度を一層向上できるのみでならず、上補助係合爪４０は背フレーム１４の上端から手前に離反することはないため、背フレーム１４の上側板１６ｂ″で背板１５を上向き動不能に保持する機能がより完璧になる利点がある。
【００６２】
本実施形態において、背フレーム１４における左右サイドメンバー２０の上下中途高さ部位（例えば側面視で最も前向き突出た頂点部）に中間係合穴を設けて、これに背板の中間係合爪を嵌め込むといったことも可能である。
【００６３】
(6).その他
本願発明は上記の実施形態の他にも様々に具体化できる。例えば背もたれがロッキングしない椅子にも適用できる。また、ロッキング椅子に適用する場合、ロッキング機構は各種のものを採用できる。
【００６４】
背フレームは正面視でおおむね四角形であれば良く、従って、台形又は逆台形であっても良い。背フレームは例えば、アッパーメンバーとロアメンバーとの間に中間メンバーを有する日字形に形成することも可能であり、また、裏カバーを設ける場合、背板の全体を覆う形態とすることも可能である。また、背フレームは例えば１枚の鋼板を材料にしてプレス加工で一体物に加工することも可能である。傾動フレームは単一構造体とすることも可能である。
【００６５】
また、背フレームの各構成メンバーのうち全部又は一部を角パイプやＣ形チャンネル材で構成することとも可能であり、更に、各メンバーを溝形に形成する場合、前向きに開口させることも可能である。
【００６６】
係合手段としては実施形態のような係合穴と係合爪との組み合わせに限定されるものではなく、例えば、背フレームのサイドメンバーに、外向き又は内向き若しくは両側に突出した係止バーを設ける一方、背板には、前記係止バーに上方から被嵌する側面視鉤状の係合爪を設ける、といったことも可能である。
【００６７】
サイドメンバーを前向きに開口した溝形に形成して、その内部に係止バーを設けることも可能である。或いは、サイドメンバーの前面に上向き鉤状の係合爪を形成して、これに背板の係合爪を上方から嵌め込む、といったことも可能である。或いは、背フレームがアッパーメンバーとロアメンバーとを備えている場合、背板に、アッパーメンバーとロアメンバーとに上方から嵌合する係合爪を形成することも可能である（この場合はアッパーメンバーとロアメンバーとはそれ自身が係合手段として機能している。)。
【００６８】
本願発明は背もたれに裏カバーを備えていない場合も含んでおり、この場合は、当然ながらストッパー手段は専用の部材として背フレームにビス等で固定される。また、この場合は、背板の背面にはストッパー手段の下方に位置する後ろ向きのストッパー部を設けたらよい。ストッパー手段は、例えば背フレームにねじ込み固定したビスとすることも可能である。ストッパー部（或いはストッパー材）は、弾性変形を利用した嵌め込み方式で背フレームに取付けてもよい。
【図面の簡単な説明】
【００６９】
【図１】本願発明の実施形態に係る椅子を前方から見た斜視図である。
【図２】（Ａ）は正面図、（Ｂ）は側面図である。
【図３】座を中心にした箇所の分離斜視図である。
【図４】背フレームの取付け構造を示す斜視図である。
【図５】機構部の分離斜視図である。
【図６】（Ａ）は背フレームと補強部材との分離斜視図、（Ｂ）は補強部材を前から見た斜視図である。
【図７】（Ａ）は背フレームと背インナーシェルとの分離斜視図、（Ｂ）は上係合爪の斜視図である。
【図８】背フレームの構造を示す図である。
【図９】背フレームと背インナーシェルとの分離斜視図である。
【図１０】（Ａ）は背もたれの平断面図、（Ｂ）は（Ａ）の部分的な拡大図、（Ｃ）（Ｄ）は組立後における図９（Ａ）の XC-XC視断面図、 XD-XD視断面図である。
【図１１】（Ａ）は背もたれの上部のみの図１０の XIA-XIA視断面図、（Ｂ）は背もたれの下部のみの図１０の XIA-XIA視断面図でかつ組み立て後における図９の XIB-XIB視断面図（Ｃ）は背もたれの下部のみの図１０の XIC-XIC視断面図である。
【図１２】背フレームと裏カバーとの分離斜視図である。
【図１３】（Ａ）は背フレームの左右中間部でかつ上部の縦断側面図、（Ｂ）は図１０の下部の XIIIB-XIIIB視断面図である。
【符号の説明】
【００７０】
１  脚装置
２  ベース
３  座
４  背もたれ
１４  背フレーム
１５  背板の一例としての樹脂製の背インナーシェル
１６  裏カバー
１６ｂ″  ストッパー手段を兼用する裏カバーの上側板
２３  傾動フレーム
２０  背フレームのサイドメンバー
２０ａ  前面板
２０ｂ  内側板
２０ｃ  外側板
２１  背フレームのアッパーメンバー
２２  背フレームのロアメンバー
【図１】
2008302061.tif 000003
【図２】
2008302061.tif 000004
【図３】
2008302061.tif 000005
【図４】
2008302061.tif 000006
【図５】
2008302061.tif 000007
【図６】
2008302061.tif 000008
【図７】
2008302061.tif 000009
【図８】
2008302061.tif 000010
【図９】
2008302061.tif 000011
【図１０】
2008302061.tif 000012
【図１１】
2008302061.tif 000013
【図１２】
2008302061.tif 000014
【図１３】
2008302061.tif 000015